(57)【要約】      （修正有）【課題】粉体のブリッジ現象が発生しにくく、低コストで粉体を効率的に移送することができるばね式フィーダを提供する。【解決手段】両端が端壁１２ａ、１２ｂによって閉鎖された円筒形のケース１２と、端壁に設けられた軸受によってケース内に回転可能に支持されたコイルばね１６と、コイルばねを回転駆動するためのモータ１８ａを含む駆動手段とを備え、ケースの一方の端壁に隣接して設けられた投入口１２ｃからケース内に投入された粉体を、コイルばねを回転駆動させることにより、ケースの他方の端壁に隣接して設けられた排出口１２ｄまで移送するように構成されている。【選択図】図１
0003216254.tif 000002
【実用新案登録請求の範囲】
【請求項１】
両端が端壁によって閉鎖された円筒形のケースと、
前記端壁に設けられた軸受によって前記ケース内に回転可能に支持されたコイルばねと、
前記コイルばねを回転駆動するための駆動手段とを備え、
前記ケースの一方の端壁に隣接して設けられた投入口から前記ケース内に投入された粉体を、前記コイルばねを回転駆動させることにより、前記ケースの他方の端壁に隣接して設けられた排出口まで移送するように構成されていることを特徴とするばね式フィーダ。
【請求項２】
前記駆動手段が、モータと、前記モータの回転を減速して前記コイルばねに伝達する減速手段とを有していることを特徴とする請求項１に記載されたばね式フィーダ。
【考案の詳細な説明】
【技術分野】
【０００１】
本考案は一般に、ばね式フィーダに関する。より詳細には、本考案は、粉体を効率的に移送することができるばね式フィーダに関する。
【背景技術】
【０００２】
粉体を或る個所から別の所望の個所に移送するための移送装置（フィーダ）として、種々の型式のものが知られている。
【考案の概要】
【考案が解決しようとする課題】
【０００３】
しかしながら、従来の移送装置には、粉体の移送時に粉体のブリッジ現象が発生したり、コストが高い等の課題があり、これらの課題を克服した装置が要望されている。
【０００４】
本考案は、このような状況に鑑みて開発されたものであって、粉体のブリッジ現象が発生しにくく、低コストで粉体を効率的に移送することができる等の新規な特徴を有する装置を提供するものである。
【課題を解決するための手段】
【０００５】
本願請求項１に記載のばね式フィーダは、両端が端壁によって閉鎖された円筒形のケースと、前記端壁に設けられた軸受によって前記ケース内に回転可能に支持されたコイルばねと、前記コイルばねを回転駆動するための駆動手段とを備え、前記ケースの一方の端壁に隣接して設けられた投入口から前記ケース内に投入された粉体を、前記コイルばねを回転駆動させることにより、前記ケースの他方の端壁に隣接して設けられた排出口まで移送するように構成されていることを特徴とするものである。
【０００６】
本願請求項２に記載のばね式フィーダは、前記請求項１のフィーダにおいて、前記駆動手段が、モータと、前記モータの回転を減速して前記コイルばねに伝達する減速手段とを有していることを特徴とするものである。
【考案の効果】
【０００７】
本発明のばね式フィーダによれば、コイルばねによって粉体が移送されるので、粉体に加えられる圧力が小さく、粉体にブリッジ現象が生じにくい。また、コイルばねの幅が小さいので、コイルばねに粉体が付着しにくい。さらに、通常のコイルばねを使用するので、製造コストが安価であるとともに装着や交換が容易である。さらに、コイルばねを回転駆動すればよいので、従来の移送装置と比較して、省力化が可能である。
【図面の簡単な説明】
【０００８】
【図１】本考案の好ましい実施の形態に係るばね式フィーダの全体斜視図である。
【図２】図１のばね式フィーダの断面図である。
【図３】図１のばね式フィーダが、水処理装置の水処理剤投入機の装備されている実施例を示した図である。
【考案を実施するための形態】
【０００９】
次に図面を参照して、本考案の好ましい実施の形態に係るばね式フィーダについて詳細に説明する。図１は、本考案の好ましい実施の形態に係るばね式フィーダの全体を示した斜視図である。図１において全体として参照符号１０で示される本考案の好ましい実施の形態に係るばね式フィーダは、円筒形のケース１２を備えている。ケース１２は、両端が端壁１２ａ、１２ｂによって閉鎖されており、一方の端壁１２ａに隣接した周壁の上方に投入口１２ｃが設けられ、他方の端壁１２ｂに隣接した周壁の下方に排出口１２ｄが設けられている。
【００１０】
ばね式フィーダ１０はまた、端壁１２ａ、１２ｂに設けられた軸受１４ａ、１４ｂによってケース１２内に回転可能に支持されたコイルばね１６を備えている。コイルばね１６は、金属線をコイル状に巻いて形成したものを使用してもよいし、市販のコイル状のばねをも用いてもよい。
【００１１】
ばね式フィーダ１０はさらに、コイルばね１６を回転駆動するための駆動手段１８を備えている。図１及び図２に示される駆動手段１８は、モータ１８ａと、モータ１８ａの回転軸１８ｂに取り付けられた歯車１８ｃと、コイルばね１６の一端に取り付けられ、歯車１８ｃとかみ合う歯車１８ｄとを有するものとして示されているが、コイルばね１６を適当に回転駆動するものであれば、他の構成を採用してもよい。
【００１２】
以上のように構成されたばね式フィーダ１０の作動について説明する。モータ１８ａを作動させてコイルばね１６を回転駆動させる。この状態で、粉体を投入口１２ｃからケース１２内に投入する。すると、粉体は、回転駆動するコイルばね１６によって、図２で示される矢印の方向に移送される。そして、粉体は、ケース１２の他端に到達すると、排出口１２ｄからケース１２外に排出される。
【００１３】
本考案のばね式フィーダ１０では、コイルばね１６によって粉体が移送されるので、粉体に加えられる圧力が小さく、粉体にブリッジ現象が生じにくい。また、コイルばね１６の幅が小さいので、コイルばね１６に粉体が付着しにくい。さらに、通常のコイルばね１６を使用するので、製造コストが安価であるとともに装着や交換が容易である。
【００１４】
図３は、本考案のばね式フィーダ１０が、水処理装置の水処理剤投入機の一部として装備されている例を示した図である。この水処理剤投入機は、本件考案者の共同開発者によって提案されたものである（特許第５４０３６０６号公報参照）。水処理剤投入機は、水処理を効率的に行うべく、被処理水に水処理剤を投入するための装置である。図３において、参照符号２２は、水処理剤投入機２０の下方に設置された水処理剤落下促進機構を示している。粉体である水処理剤は、湿気等により固まって落下（投入）しにくくなるため、水処理剤落下促進機構２２が設けられている。
【００１５】
水処理剤落下促進機構２２は、モータ２２ｄによって回転駆動されるシャフト２２ａと、シャフト２２ａから放射状に延びるようにシャフト２２ａに取り付けられた複数のアーム２２ｂと、下端がアーム２２ｂに接触するように配置された板バネ２２ｃとを有している。ばね式フィーダ１０は、水処理剤落下促進機構２２の下部に設置されている。
【００１６】
水処理剤落下促進機構２２において、シャフト２２ａが回転すると、板バネ２２ｃは接触しているアーム２２ｂによって撓まされる。次いで、シャフト２２ａが更に回転すると、アーム２２ｂと板バネ２２ｃとの接触が外れ、板バネ２２ｃは次位置のアーム２２ｂまで移動するが、この際、板バネ２２ｃと次位置のアーム２２ｂとの衝突により生ずる衝撃力により、水処理剤に衝撃が加えられ、水処理剤は、ばね式フィーダ１０の投入口１２ｃからケース１２内に落下する。そして、コイルばね１６の回転駆動により、水処理剤は、排出口１２ｄまで移送され、水処理装置の攪拌槽（図示せず）内に落下する。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
たとえば、図示されているケース１２やコイルばね１６の寸法や細部の形状などは、単なる例示的なものであり、本考案の所要の効果を発揮することができるものであれば、寸法や細部の形状を変更してもよい。
【符号の説明】
【００１９】
１０  ばね式フィーダ
１２  ケース
１２ａ、１２ｂ  端壁
１２ｃ  投入口
１２ｄ  排出口
１４ａ、１４ｂ  軸受
１６  コイルばね
１８  駆動手段
１８ａ  モータ
１８ｂ  回転軸
１８ｃ  歯車
１８ｄ  歯車
２０  水処理剤投入機
２２  水処理剤落下促進機構
２２ａ  シャフト
２２ｂ  アーム
２２ｃ  板バネ
２２ｄ  モータ
【図１】
0003216254.tif 000003
【図２】
0003216254.tif 000004
【図３】
0003216254.tif 000005